【事件の表示】
　特願２００３−３７９１０１「遊技機」拒絶査定不服審判事件〔平成１７年　６月　２日出願公開、特開２００５−１３７７２０〕について、次のとおり審決する。
【結　論】
　本件審判の請求は、成り立たない。
【理　由】
第１　手続の経緯
　本願は、平成１５年１１月７日に出願された特願２００３−３７８６４７号（国内優先権主張　平成１４年１１月２０日）の一部を特許法４４条１項の規定により新たな特許出願（同条４項の規定により、特願２００３−３７８６４７号と同じ優先権主張がされているものとみなされる。）としたものであって、平成１７年５月１０日付けで拒絶の査定がされたため、これを不服として同年６月１５日付けで本件審判請求がされるとともに、同年７月１４日付けで特許請求の範囲についての手続補正（以下「本件補正」という。）がされたものである。
　
第２　補正の却下の決定
［補正の却下の決定の結論］
　平成１７年７月１４日付けの手続補正を却下する。
　
［理由］
１．補正事項
　本件補正後の請求項１の記載は次のとおりである。
「【請求項１】　遊技に関する結果を表示する遊技結果表示手段と、
　該遊技結果表示手段に特定の遊技結果が表示された場合に、遊技者に有利な利益状態を発生させる利益状態発生手段と
を備えた遊技機において、
　前記遊技結果表示手段は、第１表示手段と、正面側から見て該第１表示手段の表示領域よりも手前側に設けられた第２表示手段とを含んで構成され、該第２表示手段は前記第１表示手段の表示を透過して表示可能な図柄表示領域を有し、
　
前記表示領域の予め定められた一部の
　
２．新規事項追加
　上記下線部を含む「前記表示領域の予め定められた一部の表示態様が特定の表示態様である場合に、該図柄表示領域に前記特定の表示態様に係る遊技情報を表示させる表示制御手段」は、願書に最初に添付した特許請求の範囲、明細書又は図面（以下、これら全体を「当初明細書」という。）の何れにも記載されていない。
　請求人は審判請求理由において、補正根拠として、当初明細書の段落【００６２】，【００６３】及び【図１０】をあげている。しかし、段落【００６２】及び【００６３】には、「遊技者が第１停止操作（リール３Ｌ，３Ｃ，３Ｒが変動後、停止ボタン１１Ｌ，１１Ｃ，１１Ｒのうちから遊技者が任意に選択した１つの停止ボタンを遊技者が最初に押す操作）として停止ボタン１１Ｌを押した場合の図柄表示領域２１Ｌ，２１Ｃ，２１Ｒ及び演出表示領域２３の表示態様を示している。ここでは、リール３Ｌの停止図柄は、「キャラクタ―キャラクタ―キャラクタ（ドンドンドン）」となっている。」及び「図１０（４）において、図１０（３）で説明したＢＢの内部当選を受けて、リール３Ｌに対応する表示領域である図柄表示領域２１Ｌには、「ドーン」２１ａという遊技情報が表示され、遊技者に報知される。」と記載されているところ、この記載における「リール３Ｌ」は、遊技者が最初に押した停止ボタンに対応するリールであり、遊技者が最初に押すリールは予め定められていない（「任意に選択した」とある。）から、「リール３Ｌ」は「表示領域の予め定められた一部」に該当しない。
　当初明細書には「第１表示手段のリール３Ｌの停止図柄態様の表示（ドンドンドン）に迫力を持たせることができ、興趣向上につながる。」（段落【００６４】）との記載があるけれども、これは「ドンドンドン」の停止態様と「ドーン」という遊技情報が合致したときの効果をいうにすぎず、この記載があるからといって、リール３Ｌ停止時のみ遊技情報を表示することも、「ドンドンドン」の停止態様のみ遊技情報を表示することも当初明細書に記載されていると認めることはできない。
　加えて、【図１０】（４）には、リール３Ｌに対応する表示領域２１Ｌのみに「ドーン」という遊技情報が表示されることが示されており、他方「「ドーン」２１ａが図柄表示領域２１Ｌ，２１Ｃ，２１Ｒや演出表示領域２３に表示される」（段落【００９０】）等の記載によれば、「ドーン」という遊技情報は表示領域２１Ｃ，２１Ｒにも表示される旨記載されているのだから、リール３Ｃ，３Ｒの停止時にも、遊技情報が表示領域２１Ｃ，２１Ｒにも表示されると解するべきである。そうすると、キャラクタ（ドン）の停止表示が「ドーン」という遊技情報の表示条件であることが当初明細書の記載から読み取れると仮にしても、表示領域２１Ｃ，２１Ｒにキャラクタ（ドン）が停止表示した際にも、「ドーン」の表示がされると解すべきである。さらに、補正後の請求項１によれば、「表示領域の予め定められた一部」に該当するリール３Ｌが２番目又は３番目に停止した場合であっても、１番目に停止した場合と同じく遊技情報が表示されなければならないが、そのようなことも当初明細書の記載からは読み取れないだけでなく、【図１０】（１）（前回遊技終了時に停止図柄と解される。）はリール３Ｌの停止図柄が「キャラクタ―キャラクタ―キャラクタ（ドンドンドン）」であるにもかかわらず、「図１０（１）において、・・・停止図柄の組合せがＢＢ役やＲＢ役を発生させる停止態様ではないので、図柄表示領域２１Ｌ，２１Ｃ，２１Ｒや演出表示領域２３には遊技情報は表示されない。」（段落【００６０】）とあるとおり、遊技情報を表示していないこととも整合しない。
　そればかりか、段落【００６３】の上記記載には「ＢＢの内部当選を受けて」とあり、リール３Ｌの停止図柄が（ドンドンドン）（【図１０】（３）では偶々そのように停止している。）であることが、「ドーン」という遊技情報表示条件であること、換言すれば、キャラクタ（ドン）が停止表示されない場合に「ドーン」という遊技情報が表示されないことも記載されていない。
　以上のとおり、本件補正は当初明細書に記載された事項の範囲内でされたものではなく、自明な事項を追加したものと認めることもできないので、特許法１７条の２第３項の規定に違反している。
　
［補正の却下の決定のむすび］
　以上によれば、本件補正は特許法１７条の２第３項の規定に違反しているから、特許法１５９条１項で読み替えて準用する同法５３条１項の規定により却下されなければならない。
　よって、補正の却下の決定の結論のとおり決定する。
　
第３　本件審判請求についての判断
１．本願発明の認定
　本件補正が却下されたから、本願の請求項１に係る発明（以下「本願発明」という。）は、平成１７年１月１９日手続補正により補正された特許請求の範囲【請求項１】に記載された事項によって特定される次のとおりのものと認める。
「遊技に関する結果を表示する遊技結果表示手段と、
　該遊技結果表示手段に特定の遊技結果が表示された場合に、遊技者に有利な利益状態を発生させる利益状態発生手段と
を備えた遊技機において、
　前記遊技結果表示手段は、第１表示手段と、正面側から見て該第１表示手段の表示領域よりも手前側に設けられた第２表示手段とを含んで構成され、該第２表示手段は前記第１表示手段の表示を透過して表示可能な図柄表示領域を有し、
　前記第１表示手段の表示態様が特定の表示態様である場合に、該図柄表示領域に前記特定の表示態様に係る遊技情報を表示させる表示制御手段を備えたことを特徴とする遊技機。」
　
２．引用刊行物の記載事項
　原査定の拒絶の理由に引用された特開平７−１２４２９０号公報（以下「引用例」という。）には、以下のア〜クの記載が図示とともにある。
　ア．「複数の回転リールを横方向に並列し、各回転リールの外周の表面に複数のシンボルマークを所定間隔で表示し、各回転リールの外周の表面の一部をフロントパネルに開設した表示窓に臨ませるとともに、各回転リールを回転させてシンボルマークを移動表示するスロットマシンにおいて、
上記フロントパネルには、前記表示窓の位置に少なくとも液晶表示装置を配置し、ゲームの開始前には液晶を遮光状態とするとともに、その遮光面にインフォメーションを液晶表示し、ゲーム中は液晶を透光状態としたことを特徴するスロットマシン。」（【請求項１】）
　イ．「センターパネル21のほぼ中央には、図２に示すように、３個の表示窓22〜24を横並びに形成している。各表示窓22〜24の内部には、各回転リール30〜32の表面をそれぞれ臨ませている。そして、各表示窓22〜24には、回転リール30〜32を回転させることにより、上下方向に３個のシンボルマークを所定間隔で高速で移動表示させることができる。」（段落【００１６】）
　ウ．「前記センターパネル21の裏側には、図１に示すように、液晶表示装置を構成する液晶パネル40が、センターパネル21の裏面のほぼ全体にわたって配置されている。」（段落【００１８】）
　エ．「液晶パネル40の制御は、スロットマシン10内に設けたマイクロコンピュータ等からなる電気的制御装置（図示せず）により行われている。前記液晶パネル40の裏側には、図１に示すように、液晶パネル40をその裏側から照明するためのバックライトユニット50が配置されている。」（段落【００１９】）
　オ．「上記バックライトユニット50は、図１に示すように、各表示窓22〜24の位置を除き、液晶パネル40の裏面のほぼ全体にわたって配置された面発光板51と、この乱反射板51の端面に配置された蛍光灯52とから構成されている。なお、面発光板51を、各表示窓22〜24の位置を除いて配置したことから、液晶パネル40の透光状態では、スロットマシン10の内部に配置された各回転リール30〜32のシンボルマークを、センターパネル21を透してスロットマシン10の前面より見ることができる。」（段落【００２０】）
　カ．「液晶の透光面の一部を遮光状態として、図４に示すように、中央ライン60を液晶表示して、１本の有効ラインを表示する。」（段落【００２４】）
　キ．「スロットマシン10の前面の図２に示すスタートスイッチ12が操作されると、３個の回転リール30〜32がほぼ同時に回転を開始する。・・・３個のストップスイッチ13〜15を全て操作し、全ての回転リール30〜32を停止させる。その結果、有効ライン上に、予め設定された特定の図柄の組み合わせが形成されると、特別の賞態様、例えば、図７に示す右下がりの斜めライン63上に「７」の文字から成る図柄が３個揃うと、いわゆる「ビッグボーナス」の役が成立し、１５枚のメダルが遊技者に払い出される。」（段落【００２７】〜【００２８】）
　ク．「「ビッグボーナス」が成立すると、図８に示すように、上下に長く透光状態となっていた各表示窓22〜24が、右下がりの斜めライン63上に揃った「７」の図柄を残して遮光状態となり、「ビッグボーナス」の当たり図柄を遊技者から見易いように強調する。さらに、各表示窓22〜24の図７において向かって右側に表示されていた５個のメダル投入表示部70〜74が、消灯し、その箇所に、図８に示すように、「ビッグボーナス」の文字が表示され、「ビッグボーナス」が成立したことを遊技者にわかり易く表示する。」（段落【００２９】）
　
３．引用例記載の発明の認定
　引用例の記載イ〜オ及び【図１】〜【図３】によれば、各表示窓22〜24の位置に対応する液晶パネル部分にはバックライトユニットが設けられておらず、バックライトユニットと液晶パネルは略同サイズと認めることができ、表現を変えれば、液晶パネルと略同サイズのバックライトユニットに各表示窓22〜24該当の開口部があるということができる。
　遊技者側からみると、液晶パネル、バックライトユニット（表示窓22〜24該当の開口部あり）及び３個の回転リールが並んでいる。
　したがって、引用例には次のような発明が記載されていると認めることができる。
「遊技者側からみて、液晶パネル、バックライトユニット及び３個の回転リールが並んで配置されたスロットマシンであって、
　各回転リールは、外周の表面に複数の図柄を所定間隔で表示したものであり、
　バックライトユニットには３個の開口部が設けられ、液晶パネルが透光状態であれば、各開口部を通して背後の回転リールを各リールごとに３図柄を視認できるように構成され、
　液晶パネルの透光面の一部を遮光状態として、有効ラインを表示し、
　スタートスイッチ操作により３個の回転リール回転を開始し、３個のストップスイッチの操作により全ての回転リールが停止し、有効ライン上に、予め設定された特定の図柄の組み合わせとしてビッグボーナスが成立すると、特定の図柄の組み合わせが形成された図柄該当部分を残して液晶パネルの開口部該当部分を遮光状態とし、常時はメダル投入表示部とされる液晶パネル部分にビッグボーナスの文字を表示するスロットマシン。」（以下「引用発明」という。）
　
４．本願発明と引用発明の対比
　引用発明において、「全ての回転リールが停止し、有効ライン上に、予め設定された特定の図柄の組み合わせとしてビッグボーナスが成立」したこと（それ以外にも、全ての回転リールが停止後に表示されるリール図柄も同じである。）及び「ビッグボーナスの文字」は「遊技に関する結果」であるから、引用発明の「３個の回転リール」及び「液晶パネル」は本願発明の「第１表示手段」及び「第２表示手段」にそれぞれ相当し、これらを併せたものが本願発明の「遊技結果表示手段」に相当する。
　引用発明において「有効ライン上に、予め設定された特定の図柄の組み合わせ」となることは、本願発明の「遊技結果表示手段に特定の遊技結果が表示された場合」と異ならず、引用発明においても「遊技者に有利な利益状態を発生させる利益状態」となることは明らかであるから、引用発明は本願発明の「利益状態発生手段」を備える。
　引用発明における液晶パネルの開口部該当部分は、同部分に有効ラインの表示がされていても、３個の回転リールを視認できることは明らかであるから、上記開口部該当部分は本願発明の「前記第１表示手段の表示を透過して表示可能な図柄表示領域」に相当する。「前記遊技結果表示手段は、第１表示手段と、正面側から見て該第１表示手段の表示領域よりも手前側に設けられた第２表示手段とを含んで構成され」ることも、当然一致点である。
　引用発明の「有効ライン上に、予め設定された特定の図柄の組み合わせが成立」は本願発明でいう「前記第１表示手段の表示態様が特定の表示態様である場合」に該当し、同じく「特定の図柄の組み合わせが形成された図柄該当部分を残して液晶パネルの開口部該当部分を遮光状態」とすることは、「該図柄表示領域に前記特定の表示態様に係る遊技情報を表示」することに該当する。当然、引用発明はそのための「表示制御手段」を備える。
　したがって、本願発明と引用発明は、
「遊技に関する結果を表示する遊技結果表示手段と、
　該遊技結果表示手段に特定の遊技結果が表示された場合に、遊技者に有利な利益状態を発生させる利益状態発生手段と
を備えた遊技機において、
　前記遊技結果表示手段は、第１表示手段と、正面側から見て該第１表示手段の表示領域よりも手前側に設けられた第２表示手段とを含んで構成され、該第２表示手段は前記第１表示手段の表示を透過して表示可能な図柄表示領域を有し、
　前記第１表示手段の表示態様が特定の表示態様である場合に、該図柄表示領域に前記特定の表示態様に係る遊技情報を表示させる表示制御手段を備えた遊技機。」である点で一致し、両者に相違点は存在しない。
　すなわち、本願発明は引用発明そのものであるから、特許法２９条１項３号の規定に該当する発明であり、特許を受けることができない。
　
５．予備的判断
　仮に、引用発明において「特定の図柄の組み合わせが形成された図柄該当部分を残して液晶パネルの開口部該当部分を遮光状態」とすることが、本願発明の「該図柄表示領域に前記特定の表示態様に係る遊技情報を表示」に該当しないとした場合の検討をしておく。
　その場合には、「前記第１表示手段の表示態様が特定の表示態様である場合に、該図柄表示領域に前記特定の表示態様に係る遊技情報を表示させる」かどうかが相違点となる。
　引用発明では、「特定の図柄の組み合わせが形成された図柄該当部分を残して液晶パネルの開口部該当部分を遮光状態」とすること以外に、「ビッグボーナスの文字を表示」（問題なく、「前記特定の表示態様に係る遊技情報を表示」に該当する。）しているが、表示位置は「常時はメダル投入表示部とされる液晶パネル部分」であって表示領域ではない。しかし、引用発明において、本願発明でいう表示領域にビッグボーナスの文字を表示できない理由はない（そのことは、原査定の拒絶の理由に引用された特開２０００−３５０８０５号公報の【図１５】及び【図１９】に、遊技中に種々の文字が表示される様子が図示されていることからも明らかである。）から、ビッグボーナスの文字の表示位置を表示領域に変更することに困難性はない。
　そればかりか、引用発明を出発点とした場合、ビッグボーナス成立を表示するに当たり、表示態様をビッグボーナスの文字に拘泥する必要はない。前掲特開２０００−３５０８０５号公報の【図２０】には、本願発明でいう表示領域を含む部分にフラッシュマークＭ８が点滅表示される様子が図示されており、このような点滅表示をビッグボーナス成立時の表示として採用し、相違点に係る本願発明の構成に至ることも当業者にとって想到容易である。
　そして、相違点に係る本願発明の構成を採用したことによる格別の作用効果を認めることもできないから、結局のところ本願発明は引用発明に基づいて当業者が容易に発明をすることができたものであって、特許法２９条２項の規定により特許を受けることができない。
　
第４　むすび
　本件補正は却下されなければならず、本願発明が特許を受けることができない以上、本願は拒絶を免れない。
　よって、結論のとおり審決する。